(57)【要約】【課題】  従来の少ない数の発光ダイオードを用いても透明カバー体の前後左右に輝度の高い光を放射させることが可能な表示灯などに用いる発光ダイオードの反射部材を提供する。【解決手段】  本考案である表示灯などに用いる発光ダイオードの反射部材は、対向して配置した発光ダイオードの光を横方向へ反射させるために用いられる発光ダイオード用の反射部材であって、基端面をその基部側の稜を四角錘の側面における基部側の稜と一致させ且つ中心軸線を四角錘の頂点位置に合致させて連接した外形形状を呈するものとした。【選択図】図１
0003156636.tif 000002
【実用新案登録請求の範囲】
【請求項１】
対向して配置した発光ダイオードの光を横方向へ反射させるために用いられる発光ダイオード用の反射部材であって、三角形を呈する四角錘の少なくとも１つの側面に、前記四角錘の側面と相似形で小形の同一角度の傾斜面からなる三角形の基端面を有するとともに高さが前記四角錘よりも低い三角柱が、前記基端面をその基部側の稜を前記四角錘の側面における基部側の稜と一致させ且つ中心軸線を前記四角錘の頂点位置に合致させて連接した外形形状を呈していることを特徴とする表示灯などに用いられる発光ダイオードの反射部材。
【請求項２】
前記三角柱が前記四角錐の互いに一組の互いに対向する側面にそれぞれ連設されていることを特徴とする表示灯などに用いられる発光ダイオードの反射部材。
【請求項３】
前記三角柱の側面が軸線方向に区切られた傾斜角度が異なる複数の側面により形成されていることを特徴とする請求項１または２に記載の表示灯などに用いられる発光ダイオードの反射部材。
【請求項４】
前記四角錐および三角柱の裏面が連設部を含めて中空に形成されていることを特徴とする請求項１，２または３に記載の表示灯などに用いられる発光ダイオードの反射部材。
【考案の詳細な説明】
【技術分野】
【０００１】
本考案は、表示灯、警告灯、信号灯などに用いられる発光ダイオードの反射部材に関するものである。
【背景技術】
【０００２】
従来、例えば道路、鉄路、建物などの現場において、運転者や歩行者などに対して各種の警告を与えるなどのために、光を放出する表示灯、警告灯、信号灯などが用いられている。
【０００３】
これらの表示灯などは基板に光源を設置するとともにその周囲を透光性を有するカバー体で覆い、カバー体を通して発光ダイオードからの光を放出させるものであり、近頃、前記表示灯などの光源として省電力で光輝度の発光ダイオードが電球に代わって採用されている。
【０００４】
ところが、汎用の発光ダイオードはダイオード自身を樹脂レンズに包み込んだパッケージ製品として提供されており、前方へ指向性をもって放射されることから、発光される光をなるべく広範囲に放出させてすぐれた視認性をもつものとするためにの工夫が必要である。
【０００５】
そのために、前後両面および外側周縁に発光ダイオードを配置したプリント基板を中空円盤状のカバー体に内装して前後および側方のほぼ全体から光を放出させる手段が例えば特開２００２−２６０４０４号公報などに提示されているが、これらの公報に提示されている光放出手段は図１３に示したように、多数の発光ダイオードを必要とするとともに透明カバー体が円柱形であり嵩張るという問題があり、また、多数の発光ダイオードを必要とするものであり、省エネルギーの点で問題があり、配線や電気的回路も複雑となり製造が困難であるばかりか廉価に提供することができない。
【０００６】
また、図１４に示すように、小数の発光ダイオード１ａを放射方向へ向けて透明カバー体２ａに内装するとともに透光カバー体２ａの周壁内面に外形が９０度の頂角を有する三角柱状の反射部材３ａを配置して発光ダイオード１ａからの光束を前後方向へ分割して外側周縁部分から放出させる手段が知られている。
【０００７】
このように手段によれば少ない少ない数の発光ダイオード１ａで前後方向での視認性を形成することができ、特に、近頃は発光ダイオードの輝度が向上しているので少ない数の発光ダイオード１ａで視認性の向上を図ることができる。
【０００８】
ところが、この反射部材３ａは三角柱状の外形を有するものであり、発光ダイオード１ａの放射光を前後方向へ分割するだけの機能を有するものであり、左右方向への放射が十分とはいえない。そのため、例えば、現場に設置した場合に左右方向への視認性が劣ったり、手に持って回した場合に、前後方向が前面に向いたときに前方への光の照射か途絶えて連続して視認することができない、という問題が生じる。
【先行技術文献】
【特許文献】
【０００９】
【特許文献１】特開２００２−２６０４０４号公報
【特許文献２】実開平７−３１５４号公報
【考案の概要】
【考案が解決しようとする課題】
【００１０】
本考案は前記課題を解決するためになされたものであり、従来の少ない数の発光ダイオードを用いても透明カバー体の前後左右に輝度の高い光を放射させることが可能な表示灯などに用いる発光ダイオードの反射部材を提供することを課題とする。
【課題を解決するための手段】
【００１１】
前記課題を解決するためになされた本考案である表示灯などに用いる発光ダイオードの反射部材は、対向して配置した発光ダイオードの光を横方向へ反射させるために用いられる発光ダイオード用の反射部材であって、前記基端面をその基部側の稜を前記四角錘の側面における基部側の稜と一致させ且つ中心軸線を前記四角錘の頂点位置に合致させて連接した外形形状を呈していることを特徴とする。
【００１２】
また、本発明において、前記三角柱が前記四角錐の互いに一組の互いに対向する側面にそれぞれ連設されている場合には前後左右方向へ輝度の高い光を放射することができる。
【００１３】
更に、前記四角錐および三角柱の裏面が連設部を含めて中空に形成されている場合には例えばプレス加工や成型加工により簡単に且つ廉価に製造ができるばかりか軽量化を図ることも可能である。
【考案の効果】
【００１４】
本考案によれば、発光ダイオードの使用個数が少なくてもカバー体の前後左右から輝度の高い光を放出しすぐれた視認性を与えることができる。
【図面の簡単な説明】
【００１５】
【図１】本考案の好ましい実施の形態を示す外観斜視図。
【図２】図１に示した実施の形態の表面図。
【図３】図１に示した実施の形態の裏面図。
【図４】図１に示した実施の形態の側面図。
【図５】図２の軸線Ｃに沿う断面図。
【図６】図１に示した実施の形態の使用状態を示す説明図。
【図７】図１に示した実施の形態の使用状態を示す説明図。
【図８】本考案の異なる実施の形態を示す外観斜視図。
【図９】図８に示した実施の形態の表面図。
【図１０】図８に示した実施の形態の側面図。
【図１１】図８に示した実施の形態の正面図。
【図１２】図１に示した実施の形態の使用状態を示す説明図。
【図１３】従来例を示す説明図。
【図１４】異なる従来例を示す説明図。
【考案を実施するための形態】
【００１６】
次に、本考案である反射部材の実施の形態につき図面を参照して詳述する。
【００１７】
図１乃至図５は、例えば所定間隔で配置された３個の発光ダイオードの対向して配置した場合に用いられる発光本考案の好ましい実施の形態を示すものであり、反射部材１は、中央に配置された四角錐２の両側に三角柱３，３が連設された外観を有している。
【００１８】
更に詳しく説明すると、四角錐２は頂角が９０度である三角形を呈する四角錘の互いに対向する側面２１，２１に、この側面２１，２１と相似形で小形の同一角度の傾斜面からなる三角形の基端面３１を有するとともに高さが四角錘２よりも低い三角柱３が、基端面３１をその基部側の稜３３を四角錘２の側面２２，２２における基部側の各稜２５と一致させ且つ中心軸線Ｃを四角錘２の頂点２４位置に合致させて連接した外形形状を呈している。
【００１９】
また、本実施の形態である反射部材１は、前記四角錐２に三角柱３，３をそれぞれ連設しても形成することができるが、前記四角錐２および三角柱３，３をを金属板をプレス加工し、或いは硬質の合成樹脂材を成型して裏面を中空にして一体に形成されており、少なくとも表面が鏡面に形成されている。
【００２０】
従って、製造が容易で且つ廉価に多量生産が可能である。
【００２１】
図６は本考案である反射部材の使用状態を示すものであり、前記図９に示した従来例と同じく例えば表示灯４に用いられ、具体的には、透明カバー体４内の上部に下方を向けて配置される。
【００２２】
特に、本実施の形態では前記四角錐の頂点２４および各三角柱３，３の先端側の頂点３２が、その下方に配置された発光ダイオード５，６，７の中心に合致するように予め設計されている。
【００２３】
そして、発光ダイオード５，６，７を発光させたとき、中央の発光ダイオード６からの光束Ｌ６は、四角錐２頂点２４の部分に照射され、４つの側面２１，２６，２１，２６（図１参照）により反射されて前後左右に分割されて透明カバー体４を介して前後左右方向へと放射される。
【００２４】
また、発光ダイオード５，７からの光束Ｌ５，Ｌ６光は三角柱３，３の先端側の頂点３２，３２に照射して前後左方および前後右方へと分割されて先端面３４と側面３５，３５（図１参照）により反射されて前後左右に透明カバー体４を介して放射される。
【００２５】
このように、本実施の形態である反射部材１は、３個の発光ダイオード５，６，７から発光される光束を透明カバー体４の前後左右方向へと輝度の高い光を簡単に放射させることができる。
【００２６】
従って、固定して使用する場合には前後左右に光を放射するのであらゆる方向から視認がかのうであり、安全性が向上し、また、実施した表示灯などを手に持って回したりした場合にも光が途切れることなく視認することができる。
【００２７】
尚、本実施の形態では、直線方向に所定間隔で３個の発光ダイオード５，６，７を配置した場合に対応可能なように、四角錐２の互いに対向する側面２１，２１に三角柱３，３を配置したが、三角柱３は発光ダイオードの配置に合わせて四角錐２における他の側面２１，２１に連設してもよい（図示せず）。
【００２８】
また、本実施の形態では四角錐２と三角柱３とが一体に連設された場合を示したが、それぞれ別々に形成して合致させたものであってもよい。
【００２９】
また、図８乃至１１は本考案の異なる実施の形態を示すものであり、全体の構成は前記図１乃至５に示した実施の形態とほぼ同様であるが、三角柱３の側面が軸線Ｃ方向に区切られた傾斜角度が異なる複数の側面３５１，３５２により形成されている点が異なる。特に、本実施の形態では頂辺側の側面３５１の底辺側の側面３５２に比べて鋭角に形成されている。
【００３０】
本実施の形態も前記図６および７に示した前記実施の形態における使用方法と同様にして使用されるが、図１２に示すよう使用されるが、左右の発光ダイオード５からの光束Ｌ５は、三角柱３の頂角３２の部分に照射されると前述の如く分割されるが、互いに異なる傾斜角度を有する側面３５１および側面３５２によりそれぞれ異なる方向へ反射するので更に縦方向に幅広く且つ輝度に優れた反射光を透明カバー体４１から放射することになり、更に視認効果に優れた指向性がなく効率のよい光の表示灯などを提供することができる。
【符号の説明】
【００３１】
１  反射部材、２  四角錐、３  三角柱、５，６，７  発光ダイオード、２１  側面、２４  頂点、２５  稜、３１  基端面、３３  稜、３５１  側面、３５２  側面、Ｃ  中心軸線
【図１】
0003156636.tif 000003
【図２】
0003156636.tif 000004
【図３】
0003156636.tif 000005
【図４】
0003156636.tif 000006
【図５】
0003156636.tif 000007
【図６】
0003156636.tif 000008
【図７】
0003156636.tif 000009
【図８】
0003156636.tif 000010
【図９】
0003156636.tif 000011
【図１０】
0003156636.tif 000012
【図１１】
0003156636.tif 000013
【図１２】
0003156636.tif 000014
【図１３】
0003156636.tif 000015
【図１４】
0003156636.tif 000016
【手続補正書】
【提出日】平成21年11月4日(2009.11.4)
【手続補正１】
【補正対象書類名】実用新案登録請求の範囲
【補正対象項目名】全文
【補正方法】変更
【補正の内容】
【実用新案登録請求の範囲】
【請求項１】
対向して配置した発光ダイオードの光を横方向へ反射させるために用いられる発光ダイオード用の反射部材であって、三角形を呈する四角錘の少なくとも１つの側面に、前記四角錘の側面と相似形で小形の同一角度の傾斜面からなる三角形の基端面を有するとともに高さが前記四角錘よりも低い三角柱が、前記基端面をその基部側の稜を前記四角錘の側面における基部側の稜と一致させ且つ中心軸線を前記四角錘の頂点位置に合致させて連接した外形形状を呈していることを特徴とする表示灯などに用いられる発光ダイオードの反射部材。
【請求項２】
前記三角柱が前記四角錐の互いに一組の互いに対向する側面にそれぞれ連設されていることを特徴とする請求項１に記載の表示灯などに用いられる発光ダイオードの反射部材。
【請求項３】
前記三角柱の側面が軸線方向に区切られた傾斜角度が異なる複数の側面により形成されていることを特徴とする請求項１または２に記載の表示灯などに用いられる発光ダイオードの反射部材。
【請求項４】
前記四角錐および三角柱の裏面が連設部を含めて中空に形成されていることを特徴とする請求項１，２または３に記載の表示灯などに用いられる発光ダイオードの反射部材。